(57)【要約】【課題】鼠が侵入した機器において使用される場合であっても防水性能を確保することができるコネクタ及び当該コネクタの製造方法を提供する。【解決手段】コネクタＣは、絶縁被覆電線２と、絶縁被覆電線２の端末に接続された端子４と、端子４を収容する端子収容部６１および端子収容部６１と外部とを連通する挿通部６２を有し、挿通部６２の内周面６２ａは絶縁被覆電線２の軸方向における一部を絶縁被覆電線２の周方向に取り囲む、ハウジング６と、絶縁被覆電線２の一部の外周面と挿通部６２の内周面６２ａとの間に介在するとともに、絶縁被覆電線２の一部の外周面および挿通部６２の内周面６２ａと圧接する、弾性を有した防水部材３と、防水部材３の表面のうち、少なくとも前記ハウジング６の外部に露出した露出面３ａに付着した防鼠剤８と、を備える。【選択図】図２
2015130290.tif 000002
【特許請求の範囲】
【請求項１】
電線と、
当該電線の端末に接続された端子と、
前記端子を収容する端子収容部および前記端子収容部と連通するとともに前記電線が挿通される挿通部を有し、前記挿通部の内周面は前記電線の軸方向における一部を当該電線の周方向に取り囲む、ハウジングと、
前記電線の前記一部の外周面と前記挿通部の内周面との間に介在するとともに、前記電線の前記一部の外周面および前記挿通部の内周面に圧接する、弾性を有した防水部材と、
前記防水部材の表面のうち、少なくとも前記ハウジングの外部に露出した表面に付着した防鼠剤と、を備えたコネクタ。
【請求項２】
弾性を有する複数の防水部材を準備する工程と、
容器内に複数の前記防水部材および防鼠剤を投入することにより、前記防鼠剤が複数の前記防水部材の表面に付着する工程と、
前記防鼠剤が付着した複数の前記防水部材のうち一の前記防水部材を前記容器外に取り出す工程と、
前記容器外に取り出した前記防水部材に電線を挿通するとともに、当該電線の端末に端子を接続する取付け工程と、
前記防水部材に挿通するとともに前記端子を接続した前記電線を、端子収容部及び前記端子収容部と連通する挿通部を有したハウジングに対して前記挿通部側から挿通することにより、前記端子収容部に前記端子を収容するとともに、前記防水部材を前記挿通部の内周面および前記電線の外周面に圧接する工程と、を備えたコネクタの製造方法。
【請求項３】
前記防鼠剤が複数の前記防水部材の表面に付着する工程は、ドラムおよび前記ドラム内に配置された供給部を備えており前記取付け工程へと前記防水部材を供給する供給装置において、前記ドラムを前記容器として利用するものであって、前記ドラム内において複数の前記防水部材および前記防鼠剤を同時に攪拌する工程と、前記ドラム内において攪拌する複数の前記防水部材のうち一の前記防水部材が前記供給部に乗る工程と、前記供給部に乗った一の前記防水部材を特定の方向に向ける工程と、を含み、
前記防水部材を前記容器外に取り出す工程は、前記供給部において特定の方向に向けられた前記防水部材を当該供給部によって前記ドラム外へと搬出することで、前記取付け工程へと供給する工程を含む、請求項２に記載のコネクタの製造方法。
【発明の詳細な説明】
【技術分野】
【０００１】
本発明は、防水性能を備えたコネクタ及びその製造方法に関する。
【背景技術】
【０００２】
従来、電線と、当該電線の一端に接続された端子と、当該端子が収容されたハウジングと、を備えたコネクタが知られている。このようなコネクタでは、例えば、特許文献１に示されるように、防水性能を付与する目的で電線の外周面とハウジングの内周面との間に防水ゴム栓が配置される。具体的には、特許文献１に示されたコネクタでは、環状の防水ゴム栓に対して電線が挿通されており、当該防水ゴム栓に挿通された電線の一端には端子が接続されている。そして、この電線がハウジングに挿入されることで、端子がハウジングに収容されるとともに、防水ゴム栓がハウジングの内周面および電線の外周面に圧接される。これにより、ハウジングの内周面と電線の外周面との間から端子側への水分の浸入を防止することができる。
【先行技術文献】
【特許文献】
【０００３】
【特許文献１】特開平７−３０７１８２号公報
【発明の概要】
【発明が解決しようとする課題】
【０００４】
しかしながら、例えば、上記のコネクタが自動車等の機器において使用された場合、当該機器の内部に侵入した鼠が防水ゴム栓に噛み付くことによって、当該防水ゴム栓の一部に欠けあるいは貫通が生じ、これによりコネクタの防水性能が低下する可能性がある。このため、鼠が侵入した機器の内部において使用される場合であっても防水性能を確保することができるコネクタの提供が望まれる。
【課題を解決するための手段】
【０００５】
本発明は、このような観点からなされたものである。本発明に係るコネクタは、電線と、当該電線の端末に接続された端子と、前記端子を収容する端子収容部および前記端子収容部と連通するとともに前記電線が挿通される挿通部を有し、前記挿通部の内周面は前記電線の軸方向における一部を当該電線の周方向に取り囲む、ハウジングと、前記電線の前記一部の外周面と前記挿通部の内周面との間に介在するとともに、前記電線の前記一部の外周面および前記挿通部の内周面に圧接する、弾性を有した防水部材と、前記防水部材の表面のうち、少なくとも前記ハウジングの外部に露出した表面に付着した防鼠剤と、を備える。
【０００６】
このようなコネクタによれば、防水部材に対して鼠が噛み付くことを抑止できるため、当該防水部材の一部に欠けあるいは貫通が生じることによってコネクタの防水性能が低下することを抑止できる。具体的には、上記のコネクタでは、弾性を有する防水部材が電線の一部の外周面およびハウジングの挿通部の内周面に圧接することによって、ハウジングの外部から挿通部を介して端子収容部へと水分が浸入することを防止している。この防水部材の表面のうち少なくともハウジングの外部に露出した表面は、コネクタが自動車等の機器において使用された場合に、当該機器の内部に侵入した鼠に噛み付かれる可能性がある。そこで、上記のコネクタでは、防水部材の表面のうち少なくともハウジングの外部に露出した表面に防鼠剤が付着しており、これによりハウジングから露出した防水部材の表面に鼠が噛み付くことを抑止できる。なお、防鼠剤とは、鼠に対して臭いあるいは味等によって禁忌効果を発揮するものである。
【０００７】
また、本発明は、上記のコネクタの製造方法を提供する。このコネクタの製造方法は、弾性を有する複数の防水部材を準備する工程と、容器内に複数の前記防水部材および防鼠剤を投入することにより、前記防鼠剤が複数の前記防水部材の表面に付着する工程と、前記防鼠剤が付着した複数の前記防水部材のうち一の前記防水部材を前記容器外に取り出す工程と、前記容器外に取り出した前記防水部材に電線を挿通するとともに、当該電線の端末に端子を接続する取付け工程と、前記防水部材に挿通するとともに前記端子を接続した前記電線を、端子収容部及び前記端子収容部と連通する挿通部を有したハウジングに対して前記挿通部側から挿通することにより、前記端子収容部に前記端子を収容するとともに、前記防水部材を前記挿通部の内周面および前記電線の外周面に圧接する工程と、を備える。
【０００８】
このようなコネクタの製造方法によれば、容器内に複数の防水部材と防鼠剤とを投入することで、複数の防水部材のそれぞれの表面に防鼠剤を効率的に付着させることができ、製造工程が簡略化する。具体的には、上記のコネクタの製造方法では、容器内に投入された複数の防水部材を一つずつ容器外へと取り出すことで、当該容器外においてコネクタを一つずつ製造する。ここで、上記のコネクタの製造方法では、複数の防水部材に加えて防鼠剤を容器内に投入しており、当該容器内において防鼠剤が複数の防水部材の表面に付着する。このため、防水部材を容器外へと取り出す前に、複数の防水部材の表面に対して同時に防鼠剤を付着させることができ、製造工程が簡略化する。
【０００９】
また、前記防鼠剤が複数の前記防水部材の表面に付着する工程は、ドラムおよび前記ドラム内に配置された供給部を備えており前記取付け工程へと前記防水部材を供給する供給装置において、前記ドラムを前記容器として利用するものであって、前記ドラム内において複数の前記防水部材および前記防鼠剤を同時に攪拌する工程と、前記ドラム内において攪拌する複数の前記防水部材のうち一の前記防水部材が前記供給部に乗る工程と、前記供給部に乗った一の前記防水部材を特定の方向に向ける工程と、を含み、前記防水部材を前記容器外に取り出す工程は、前記供給部において特定の方向に向けられた前記防水部材を当該供給部によって前記ドラム外へと搬出することで、前記取付け工程へと供給する工程を含む。
【００１０】
このようなコネクタの製造方法によれば、防水部材を取付け工程へと供給する供給装置におけるドラム内に防鼠剤を投入するだけで、複数の防水部材の全表面に防鼠剤を付着させることができるため、製造工程がより簡略化する。具体的には、上記のコネクタの製造方法では、ドラムおよび供給部を備えた供給装置によって、ドラム内において複数の防水部材を攪拌しつつ、当該攪拌過程において供給部に乗った一の防水部材を特定方向に向けた状態でドラム外へと搬出することで、防水部材を取付け工程へと供給する。そして、このような防水部材の供給過程において、複数の防水部材と防鼠剤とをドラム内で攪拌することにより、複数の防水部材の全表面に防鼠剤を付着させる。すなわち、上記のコネクタの製造方法では、供給装置によって防水部材を特定方向に向けた状態で取付け工程へと供給する過程において、ドラム内に防鼠剤を投入することにより、複数の防水部材の全表面に防鼠剤を付着させることができる。このため、ドラム内における複数の防水部材の攪拌を利用して、特別な装置を使用することなく複数の防水部材の全表面に防鼠剤を効率良く付着させることができ、これにより製造工程が簡略化する。
【発明の効果】
【００１１】
以上のように、本発明によれば、鼠が侵入した機器において使用される場合であっても防水性能を確保することができるコネクタ及び当該コネクタを容易に製造することが可能な方法が提供される。
【図面の簡単な説明】
【００１２】
【図１】本実施形態に係るコネクタを示す概略断面図である。
【図２】図１における要部を示す概略断面図である。
【図３】本実施形態に係るコネクタの製造工程を示したブロック図である。
【図４】本実施形態に係るコネクタの製造工程において使用されるドラム、防水部材受け部、搬送レール、および支持台を示す概略側面図である。
【図５】本実施形態に係るコネクタの製造工程において防水部材に絶縁被覆電線が挿通された状態を示す図である。
【図６】本実施形態に係るコネクタの製造工程において絶縁被覆電線の端末に端子が圧着された状態を示す図である。
【発明を実施するための形態】
【００１３】
以下、本発明の一実施形態について、図面を参照しながら説明する。但し、以下で参照する各図は、説明の便宜上、本発明の一実施形態の構成部材のうち、本発明を説明するために必要な主要部材を簡略化して示したものである。したがって、本発明に係るコネクタは、本明細書が参照する各図に示されていない任意の構成部材を備え得る。
【００１４】
図１および図２に示すように、本実施形態に係るコネクタＣは、絶縁被覆電線２と、当該絶縁被覆電線２が挿通される防水部材３と、絶縁被覆電線２の端末に接続される端子４と、当該端子４を収容するハウジング６と、防水部材３の表面に付着した防鼠剤８と、を備える。
【００１５】
絶縁被覆電線２は、導体２１と、絶縁被覆２２と、を有する。絶縁被覆２２は、導体２１を周方向の全周に亘って被覆している。また、絶縁被覆２２の一部は、絶縁被覆電線２の端末において切除されており、当該絶縁被覆電線２の端末において導体２１の端末が絶縁被覆２２から露出している。導体２１は、高い導電性を有するものであればよく、例えば、銅などの良導電性金属材料からなる単一の素線または互いに束ねられた複数の素線により構成される。絶縁被覆２２は、絶縁性を有する合成樹脂材料からなる。
【００１６】
防水部材３は、ハウジング６の端子収容部６１への水分の浸入を防止する部材であり、圧接部３１と、凹部３２と、を有する。具体的には、防水部材３は、ゴム等の弾性を有する材料から構成されるとともに略円筒形状をなしており、絶縁被覆電線２が挿通されている。また、防水部材３は、前記絶縁被覆電線２の軸方向において、当該絶縁被覆電線２の端末近傍に位置しており、ハウジング６の挿通部６２内に収容されている。前記圧接部３１は、ハウジング６の挿通部６２の内径よりも大きい外径を有する部位であって、当該挿通部６２内において縮径方向に弾性変形することで、当該挿通部６２の内周面６２ａおよび絶縁被覆電線２の外周面に圧接している。また、前記凹部３２は、圧接部３１の外径よりも小さい外径を有する部位であって、圧接部３１よりも端子４側に位置している。この凹部３２には、前記端子４の防水部材圧着部４２が圧着される。
【００１７】
端子４は、絶縁被覆電線２に圧着される電線圧着部と、当該電線圧着部を挟んで絶縁被覆電線２の反対側に位置する雌型の電気接触部４３と、を有する。前記電線圧着部は、導体圧着部４１及び防水部材圧着部４２を有し、各圧着部４１，４２は一対のバレルを有する。前記導体圧着部４１を構成するバレルは、絶縁被覆電線２の端末において絶縁被覆２２から露出した導体２１の端末に圧着されている。また、前記防水部材圧着部４２を構成するバレルは、防水部材３の凹部３２に圧着されている。電気接触部４３は、相手方のコネクタに配備される雄型端子が当該電気接触部４３に嵌入可能な形状を有し、その嵌入状態で前記電気接触部４３と前記雄型端子とが互いに接触することにより電気的に導通する。
【００１８】
ハウジング６は、端子収容部６１と、当該端子収容部６１に連通する挿通部６２と、を有する。前記端子収容部６１は、前記端子４を収容する部位であり、当該端子収容室６１に挿入された端子４の適当な部位を係止するランス６３を含む。挿通部６２は、端子収容部６１とハウジング６の外部とを連通しており、端末に端子４を接続した絶縁被覆電線２が挿通される部位である。挿通部６２は、防水部材３および当該防水部材３に挿通された絶縁被覆電線２の一部を周方向に取り囲んでいる。
【００１９】
本実施形態では、防水部材３に挿通されるとともに端子４が接続された絶縁被覆電線２が、ハウジング６の外部から挿通部６２へと挿通され、端子４がランス６３に係止される。これにより、端子４が端子収容部６１に収容されるとともに、防水部材３の圧接部３１が挿通部６２の内周面６２ａおよび絶縁被覆電線２の外周面に圧接される。
【００２０】
ここで、防水部材３の表面のうち、ハウジング６から露出する面、すなわち挿通部６２に連通するハウジング６の外部側に位置する面を、露出面３ａと称する。
【００２１】
コネクタＣの特徴として、防水部材３の少なくとも露出面３ａには、防鼠剤８が付着している。なお、本実施形態では、防鼠剤８は、露出面３ａを含む防水部材３の全表面に付着している。ここで、防鼠剤８は、鼠に対して臭いあるいは味等によって禁忌効果を発揮するものである。当該禁忌効果を発揮する成分としては、例えば、カプサイシンあるいはシクロヘキシミド等を採用することができる。
【００２２】
このように、コネクタＣでは、防水部材３の少なくとも露出面３ａに防鼠剤８が付着しているため、当該防鼠剤８に鼠が噛み付くことによって防水性能が低下する可能性を低減できる。具体的には、防水部材３の露出面３ａは、挿通部６２と連通するハウジング６の外部側に位置する面であるため、当該ハウジング６から露出している。このため、コネクタＣが自動車等の機器において使用された場合に、当該機器の内部に侵入した鼠が、ハウジング６の外部から防水部材３の露出面３ａに噛み付く可能性がある。そこで、コネクタＣでは、防水部材３の露出面３ａに防鼠剤８が付着しており、これにより当該露出面３ａに鼠が噛み付くことを抑止できる。また、防水部材３の露出面３ａに鼠が噛み付いた場合であっても、当該露出面３ａに付着した防鼠剤８によって、前記鼠がそれ以上噛み進めることを抑止できる。このため、防水部材３の露出面３ａに鼠が噛み付くことで当該防水部材３に欠けあるいは貫通が生じることを抑止でき、これによりコネクタＣの防水性能を確保することができる。
【００２３】
なお、本実施形態のように、防鼠剤８は、防水部材３の露出面３ａだけでなく、当該防水部材３の表面全体に亘って付着していることが好ましい。防鼠剤８が防水部材３の表面全体に亘って付着していると、ハウジング６の外部における他の部材と露出面３ａとが接触することで当該露出面３ａに付着した防鼠剤８が剥がれ落ちたとしても、防水部材３における防鼠効果をある程度確保することができる。
【００２４】
以上説明したコネクタＣは、例えば、図３に示す工程を含む方法によって、合理的かつ容易に製造することができる。以下では、図３を参照しつつ、コネクタＣの製造方法について詳述する。
【００２５】
１）供給装置における攪拌工程
この工程では、まず、図４に示す供給装置１００が準備される。供給装置１００は、ドラム１１０、供給部１２０、および支持台１３０を備えており、ドラム１１０と供給部１２０とが支持台１３０によって支持される。ドラム１１０は、円柱形状をなしており、開口部を有する開口面１１０ａと、当該開口面１１０ａの反対側に位置する底面１１０ｂと、を含む。このドラム１１０は、支持台１３０によって、底面１１０ｂが開口面１１０ａよりも下方に位置するように傾いた状態で支持される。そして、ドラム１１０は、底面１１０ｂ側において複数の攪拌翼１１１を有する。当該複数の攪拌翼１１１は、ドラム１１０内において当該ドラムの内周面に沿って回転される。供給部１２０は、一方方向に延びるレール状の部材であって、その一端部１２０ａがドラム１１０内における底面１１０ｂ付近に配置される。また、供給部１２０の他端部は、ドラム１１０の開口面１１０ａを介してドラム外へ延びており、後述する切圧機２００に連結される。
【００２６】
次に、ゴム等の弾性を有する材質が成形されることにより、円筒形状をなす複数の防水部材３が準備される。この際、防水部材３には、後述する絶縁被覆電線２の挿入工程においてハウジング６の挿通部６２の内周面６２ａに圧接する圧接部３１と、当該圧接部３１よりも小さい外径を有する凹部３２と、が形成される。また、カプサイシンあるいはシクロヘキシミド等の液状の防鼠剤８が準備される。
【００２７】
そして、複数の防水部材３がドラム１１０内に投入されるとともに、液状の防鼠剤８が当該ドラム１１０内に噴霧される。この際、複数の防水部材３は、開口面１１０ａよりも下方に位置する底面１１０ｂ側において、攪拌翼１１１の回転に巻き込まれるように当該回転方向に沿って攪拌される。これにより、防鼠剤８が複数の防水部材３の全表面に付着される。
【００２８】
そして、防鼠剤８が付着した複数の防水部材３が攪拌翼１１１によって引き続き攪拌されることで、当該攪拌過程においてランダムに選択された一の防水部材３が供給部１２０の一端部１２０ａに乗せられる。そして、供給部１２０の一端部１２０ａに乗せられた一の防水部材３は、当該供給部１２０によって特定の方向を向くように調整する。
【００２９】
２）供給装置における供給工程
この工程では、供給部１２０に乗せられた一の防水部材３が切圧機２００へ供給される。具体的には、上記の攪拌工程において供給部１２０の一端部１２０ａに乗せられた防水部材３は、供給部１２０によって特定方向に向いた状態でドラム１１０外へ搬出される。なお、防水部材３は、供給部１２０の一端部１２０ａにおいて特定の方向に向けてからドラム１１０外へと搬出されてもよいし、供給部１２０によってドラム１１０外へ搬出される過程において特定の方向に向けられてもよい。また、供給部１２０の一端部１２０ａに乗せられた複数の防水部材３のうち特定の方向を向いた一の防水部材３が選択的にドラム１１０外へ搬出されてもよい。そして、供給部１２０によってドラム１１０外へ搬出された防水部材３は、当該供給部１２０の他端部と連結された切圧機２００に供給される。
【００３０】
３）切圧機における切圧工程
この工程では、まず、押出成形等によって、導体２１および当該導体２１を被覆する絶縁被覆２２を有する絶縁被覆電線２が準備される。そして、図５に示すように、上記の供給工程において供給部１２０から切圧機２００へ供給された防水部材３に絶縁被覆電線２が挿通されるとともに、当該切圧機２００によって絶縁被覆電線２の端末における絶縁被覆２２が除去されることで、導体２１の端末が絶縁被覆２２から露出される。
【００３１】
次に、一対のバレルを有する導体圧着部４１及び防水部材圧着部４２と、電気接触部４３と、を備えた端子４が準備される。この端子４は、例えば、プレス加工によって所定の形状に打ち抜いた金属板材に曲げ加工が施されることで、所定形状に成形される。そして、図６に示すように、切圧機２００によって、絶縁被覆２２から露出された導体２１の端末に導体圧着部４１が圧着されるとともに、防水部材３の凹部３２に防水部材圧着部４２が圧着される。このようにして、絶縁被覆電線２に防水部材３および端子４が取り付けられる。
【００３２】
４）絶縁被覆電線の挿入工程
この工程では、上記の切圧工程において防水部材３および端子４が取り付けられた絶縁被覆電線２がハウジング６内に挿入されることで、図１に示すコネクタＣが製造される。具体的には、まず、端子４を係止するランス６３を有した端子収容部６１と、当該端子収容部６１および外部を連通する挿通部６２と、を備えたハウジング６が準備される。このハウジング６は、例えば合成樹脂によって成形される。次に、上記の切圧工程において防水部材３および端子４が取り付けられた絶縁被覆電線２がハウジング６内に収容される。より具体的には、端末に端子４が接続された絶縁被覆電線２が挿通部６２からハウジング６内へ挿通され、端子４がランス６３によって係止される。これにより、端子４が端子収容部６１に収容される。ここで、ランス６３による端子４の係止位置において、防水部材３の圧接部３１が挿通部６２内において縮径方向に圧縮変形される。これにより、防水部材３の圧接部３１は、挿通部６２の内周面６２ａおよび絶縁被覆電線２に圧接される。ここで、上記の攪拌工程において防水部材３の全表面に防鼠剤８が付着されることから、防水部材３の表面のうちハウジング６から露出する露出面３ａにも防鼠剤８が付着される。
【００３３】
このようなコネクタＣの製造方法によれば、ドラム１１０内において複数の防水部材３と液状の防鼠剤８とが同時に攪拌されることで、当該複数の防水部材３の表面に対して同時に防鼠剤８を付着させることができ、製造工程が簡略化される。具体的には、上記のコネクタＣの製造方法では、ドラム１１０内に投入された複数の防水部材３が一つずつドラム１１０外へ搬出される前に、当該複数の防水部材３の表面に対して同時に防鼠剤８を付着させることができる。このため、複数の防水部材３のそれぞれの表面に対して個別に防鼠剤８を塗布するような工程が必要なく、これにより製造工程が簡略化される。
【００３４】
さらに、本実施形態では、供給装置１００によって、ドラム１１０内において攪拌される複数の防水部材３のうち一の防水部材３が特定方向に向けられた状態でドラム１１０外へ供給されるとともに、当該供給過程においてドラム１１０内に液状の防鼠剤８が投入されることにより、特別な装置を使用することなく複数の防水部材３の全表面に防鼠剤８を付着させることができる。すなわち、供給装置１００による防水部材３の供給過程において、ドラム１１０内における複数の防水部材３の攪拌を利用して、当該複数の防水部材３の全表面に防鼠剤８を付着させることができ、これにより製造工程がより簡略化される。
【００３５】
なお、本実施形態では、コネクタＣの製造工程において供給装置１００を利用することから、当該供給装置１００のドラム１１０内に防鼠剤８を投入することで複数の防水部材３の全表面に防鼠剤８を付着させたが、これに限らず、コネクタＣの製造工程において供給装置１００を利用しない場合には、専用の容器内に防鼠剤８を投入し、当該容器内において複数の防水部材３の全表面に防鼠剤８を付着させてもよい。
【００３６】
また、本実施形態では、液状の防鼠剤８をドラム１１０内に噴霧することで、複数の防水部材３の全表面に防鼠剤８を付着させたが、これに限らず、粉状の防鼠剤８をドラム１１０内に噴霧することで、複数の防水部材３の全表面に防鼠剤８を付着させてもよい。
【００３７】
また、本実施形態では、ドラム１１０内において複数の防水部材３と防鼠剤８とを攪拌させることで、複数の防水部材３の全表面に防鼠剤８を付着させたが、これに限らず、ドラム１１０内に溜まった液状の防鼠剤８に複数の防水部材３を浸すことで、複数の防水部材３の全表面に防鼠剤８を付着させてもよい。
【符号の説明】
【００３８】
Ｃ      コネクタ
２      絶縁被覆電線
３      防水部材
３ａ    防水部材の露出面
４      端子
６      ハウジング
８      防鼠剤
６１    端子収容部
６２    挿通部
６２ａ  挿通部の内周面
１００  供給装置
１１０  ドラム
１２０  供給部
１３０  支持台
２００  切圧機
【図１】
2015130290.tif 000003
【図２】
2015130290.tif 000004
【図３】
2015130290.tif 000005
【図４】
2015130290.tif 000006
【図５】
2015130290.tif 000007
【図６】
2015130290.tif 000008